(57)【要約】  【課題】作業者がしゃがみ込む姿勢での切断において、力の加減にも注意が必要で、カッター刃を定規に一定の力で押しつけて直線性よくカッターナイフを移動させることができずに、押しつける力が変動してしまい、壁紙の切断が波打つような状態となってしまうことも発生したり、天井から下方向に定規をずらしながら切断していた切断線と下から上方向に切断した線と下から上に切断する線が一致せずにずれてしまうことまで発生することがあった。  【解決手段】カッター刃よりも突出した押さえ手段、又はカッター刃の刃先の突出寸法と同じ寸法で突出しした押さえ手段、あるいはカッター刃の刃先の突出寸法に対して１ｍｍ未満短い状態に突出した押さえ手段によってカッター刃の切断位置近くの両側を押さえた状態で切断作業を安定して行うことができる切断用工具を提供する。【選択図】    図１
2019051056.tif 000002
【特許請求の範囲】
【請求項１】
カッター刃を収納する切断刃物を保持する保持手段と、
上記保持手段と連結されて、切断刃物のカッター刃の突出量を調整するスライダの移動を可能にする溝部と、
上記保持手段から突出されたカッター刃の刃先よりも切断対象物が構成する面と平行な方向において突出して、カッター刃の刃先両側において切断対象物を押さえる押さえ手段と、
保持部に保持された切断刃物のカッター刃に対して平行な面の２つのガイド面とを有し、
カッター刃は２つのガイド面からの距離が等しい位置に配置されていることを特徴とする切断用工具。
【請求項２】
カッター刃を収納する切断刃物を保持する保持手段と、
上記保持手段と連結されて、切断刃物のカッター刃の突出量を調整するスライダの移動を可能にする溝部と、
上記保持手段から突出されたカッター刃の刃先の突出寸法と同じ寸法で切断対象物が構成する面と平行な方向において突出して、カッター刃の刃先両側において切断対象物を押さえる押さえ手段と、
保持部に保持された切断刃物のカッター刃に対して平行な面の２つのガイド面とを有し、
カッター刃は２つのガイド面からの距離が等しい位置に配置されていることを特徴とする切断用工具。
【請求項３】
カッター刃を収納する切断刃物を保持する保持手段と、
上記保持手段と連結されて、切断刃物のカッター刃の突出量を調整するスライダの移動を可能にする溝部と、
上記保持手段から突出されたカッター刃の刃先の突出寸法に対して１ｍｍ未満短い状態に切断対象物が構成する面と平行な方向において突出し、カッター刃の刃先両側において切断対象物を押さえる押さえ手段と、
保持部に保持された切断刃物のカッター刃に対して平行な面の２つのガイド面とを有し、
カッター刃は２つのガイド面からの距離が等しい位置に配置されていることを特徴とする切断用工具。
【発明の詳細な説明】
【技術分野】
【０００１】
本発明は、内装の施工時に使用する工具に関するものである。さらに詳しくは、紙やフィルムのシート状物を表面に貼り付ける際に、シート状物を重ね合わせて切断し、切断した部分を除去して、その切断端面を接合して接合部分を目立たなくするという、例えば壁紙の重ね切り工法やダイノックシートやガラスフィルムの施工の際に使用する切断用工具に関するものである。
【背景技術】
【０００２】
従来より壁紙施工においては、壁紙の端部の仕上方法として重ね切り工法がよく用いられている。定規とカッターナイフを使用し、壁紙と壁紙のジョイント部分の切断を行い、壁紙同士の継ぎ目が見えないように仕上げている。定規とカッターナイフを使用して切断するということに関しては種々の提案が従来からなされている。
【０００３】
特許文献１は、定規をあててカットをすると、カッターがすべり、押さえている方の指を切る事故が多かったため、定規を押さえている方の指を切らないようにするためのガードがついた定規に関するものである。
【０００４】
特許文献２は、カッターナイフを用いて定規に合わせて切断作業する際に、定規を削らずに、定規の際通りに切断できるガイド用段差付きカッターナイフに関するものである。ガイドの段差が定規に当たっているので、カッター刃が定規を超えて、定規を押さえている手を傷つけることもないと開示され、ガイド段差についても、カッター刃と同一線上にあるならば、カッター刃の前後どちらにあっても良いと開示されている。
【０００５】
特許文献３は、カッターナイフで、定規の側端に沿わせて紙を切る場合に刃がぐらついて定規を削ってしまったりキズつけることを防ぐためのカッターナイフ用切断具に関するもので、平板状の巾方向の端部寄り上面に、あり溝状係合手段の一方向を形成したカット台本体とカット台本体と対になる他方のあり溝状係合手段を形成し、さらに、あり溝状係合手段の側方にあってライド方向に平行で、且つ、厚さ方向に貫通するナイフ挿入を設けたカット補助具とからなり、カット補助具は前記カット台本体上において一対のあり溝状係合手段によりカット台本体にスライド可能に嵌合されてなるカッターナイフ用切断具に関するものである。
【０００６】
特許文献４は、壁紙やクロスなどの内装材を下地材上で切る際の内装の施工方法及びそれに用いる施工用具であり、内装材を切断する切断用具（カッター）と、この切断用具の移動に連繋して移動する連繋部材と、この連繋部材に係止され、切断されるべき内装材とこの内装材を保持する下地材との間に介在可能な切断用具による下地材の損傷を受けることを防止する下敷き部材とを備えている。切断されるべき内装材とこれらを保持する下地材との間に下敷き部材を介在させ、かつ、この下敷き部材を、切断用具の移動に連繋させながら切断方向に移動させつつ内装材を切断する施工用具に関するものである。
【０００７】
特許文献５は、上記特許文献１〜４の課題を解決するために本出願人が出願したものであり、カッター刃を収納する切断刃物のホルダー先端部分を保持する保持部と、保持部と連結された切断刃物のカッター刃を突出させる孔部と、保持部に保持された切断刃物のカッター刃に対して平行な面の２つのガイド面とを有し、カッター刃は２つのガイド面からの距離が等しい位置に配置されていることを特徴とする切断用工具である。
【先行技術文献】
【特許文献】
【０００８】
【特許文献１】特開２００４−１３０４９７号公報
【特許文献２】特開２００４−１９５１６７号公報
【特許文献３】実用新案登録第３１３９５４４号公報
【特許文献４】特開２００２−８１２００号公報
【特許文献５】特開２０１７−１８４３３号公報
【発明の開示】
【発明が解決しようとする課題】
【０００９】
壁紙施工において壁紙の重ね切りをする場合においては、片手に定規を持ち、もう一方の手でカッターナイフを持って、切断位置に定規を位置決めして押え、定規にカッターナイフの刃先を沿わせて切断するのであるが、天井付近においては、脚立に乗って手を伸ばした状態で切断し、上方から切断に合わせて切断の直線性を保ちながら定規を下方にずらしていく。
【００１０】
そして床の例えば幅木近くになると、カッターナイフは上から下へ移動させるのではなく、カッターナイフを１８０度反転させて、下から上、すなわち幅木の端部から上方向にカッターナイフを移動させ、上方向からの切断完了端部に合うように下から上に切断して重ね切りを行うのである。
【００１１】
カッターナイフは、カッター刃１０ａを収納している本体部分をボディあるいはホルダー１０ｃと呼び、ホルダー１０ｃの先端側は金属製とされ、手で持つ後端側は樹脂製部品で構成されているのが通常で、ホルダー１０ｃの先端部は鋭角に突出した形状とされているのが通常である。
【００１２】
壁紙施工における切断用定規の厚みは５〜１０ｍｍ程度にされていることが多く、壁紙施工業者は各自任意の好みの厚みの定規を選定して使用している。
【００１３】
カッターナイフを右手に持ち、切断用の定規を左手に持って作業を行う場合は、ホルダーの先端部でカッター刃１０ａを押さえつけるようにして定規の側面にカッター刃１０ａを沿わせる。しかし、上記したように床近くなり幅木から上方向にカッターナイフを移動させる場合においては、ホルダーの先端部に面する側のカッター刃１０ａの面を定規の側面に沿わせることになるので、カッター刃１０ａが見えるように開口した部分の上部と下部の一部のホルダー部でカッター刃１０ａを押しつけようとしなければならなくなる。また、ホルダー１０ｃ内において少し隙間があるため、ホルダーの先端部で押しつける場合よりもカッター刃１０ａのがたつきも大きく力を入れるとカッター刃１０ａがより反ってしまうためにカッターナイフを下から上に移動させる動きに熟練が必要となってしまっていたのである。
【００１４】
特に、床近くにおいての作業となるので、作業者はしゃがみ込む姿勢となり、力の加減にも注意が必要で、カッター刃１０ａを定規に一定の力で押しつけて直線性よくカッターナイフを移動させることができずに、押しつける力が変動してしまい、その結果、壁紙の切断が波打つような状態となってしまうことも発生してしまう。
【００１５】
そしてさらに、天井から下方向に定規をずらしながら切断していた切断線と下から上方向に切断した線と下から上に切断する線が一致せずにずれてしまうことまで発生することがあった。そのため、壁紙の直線性の切断精度を安定させたいという要望が課題としてあったのである。
【００１６】
また、定規で上から押さえられた壁紙などの切断対象物は、定規で押さえられているので切断時に動いたりしないので安定して切断されるが、定規で押さえていない側の切断対象物（例えば壁紙）は、少し刃物の切れ味が落ちてきたときには、カッターナイフを移動させたときに、糊が塗布されて柔らかくなっており、切断できずに刃先に引っかかったようになり、引き裂かれたように破れてしまうということが発生し、その破れを目立たないように修正する手間がかかってしまうという課題の解決も望まれてもいたのである。
【００１７】
特許文献１に開示された技術内容においては、指をけがするという課題は解決できるものの、壁紙施工における上記の課題については解決できない。そして、定規をカッター刃で削ってしまうという課題も残したままとなっており、壁紙施工においては課題を解決できるものではなかった。
【００１８】
特許文献２に開示された技術内容においては、定規を削ってしまうという課題を解決でき、手元の安定も図ることができるものの、カッターナイフの移動方向は１方向に限定されてしまっていた。すなわち、天井から下方向に移動させる段差であれば、床近くで１８０度反転させて下から上に移動させるということには使用できず、また段差を有する形状のためにカッターナイフ自体もコストがかかってしまう構成となってしまってもいるのである。また、カッター刃は段差の先端付近に設けられている構成とされており、刃先が見えない状態で切断する構成となっている。壁紙施工においては、どの程度刃先を食い込ませているのかを確認しながらも切断し、壁紙の下地を痛めないように施工する必要があるため、壁紙施工においては課題を解決できるものではなかった。
【００１９】
特許文献３に開示された技術内容においては、ナイフ挿入孔から挿入したカッターナイフの刃は、カット補助具のナイフ挿入孔の壁とカット台本体の側面に支えられ刃がぶれることなく安定し、カット補助具もカット台本体の凸レールに嵌め込まれているためカット補助具も安定していると記載されているものの、使い方としては、テーブルなどに載置されたカット台本体で使用されるものであり、壁紙施工のように垂直方向に定規を固定した場合においては、カット補助具は自重で滑り落ちてしまうため、ナイフ挿入孔にナイフを入れようとすることができない構成になっている。また特許文献２と同様にカッター刃の刃先が見えない構成であり、刃先を見ながら壁紙の下地を切断しないよう壁紙を重ね切りすることができないものである。そして、特許文献３の定規も専用のものとなり、今まで使用して使い慣れた定規も本特許文献３のものに置き換えないといけないという前提のもので、したがって、壁紙施工においては課題を解決できるものではなかった。
【００２０】
特許文献４に開示された技術内容においては、下地を傷つけないようにするためのものであるが、糊の塗布された壁紙の裏面側に下敷き部材を入れると、壁紙に塗布した糊を掻き取ってしまうという欠点を有しており、また、下敷き部材を薄く製作していても、下敷き部材を入れたために壁紙を切断する位置においては、下敷き部材で壁紙を持ち上げた状態となるので、壁に貼り付けられた壁紙を下敷き部材で持ち上げようとしたさいに、糊が塗布されて湿潤した壁紙を破ってしまったりする可能性もあった。さらには、下敷き部材で壁紙を壁から持ち上げたようになるため本来下敷き部材無しの状態でぴったりと合う状態で切断できた壁紙が、それぞれの端部は下敷き部材で持ち上げた分若干長くなった状態で重ね切りすることになってしまうのである。そのため、壁紙端部の付き合わせの仕上げに手間がかかってしまうことになることが避けられないのである。以上のように、特許文献１〜４においては課題を解決できるものではなく、改善が望まれていたのである。
【００２１】
特許文献５に開示された技術内容においては、切断工具からカッター刃を突出させた状態で切断する構成としており、切断対象物を切断する両側において、切断対象物を切断する際に押えとなる手段を有しておらず、カッター刃の先端に水分を含んだ壁紙を切断しようとした場合に切断できずにカッター刃の刃先に水分を含んで破れやすくなった壁紙を引きずるように破ってしまうということが発生することがあり改善が望まれていたのである。
【課題を解決するための手段】
【００２２】
上記の課題を解決するために本発明は、カッター刃を収納する切断刃物を保持する保持手段と、上記保持手段と連結されて、切断刃物のカッター刃の突出量を調整するスライダの移動を可能にする溝部と、上記保持手段から突出されたカッター刃の刃先よりも切断対象物が構成する面と平行な方向において突出して、カッター刃の刃先両側において切断対象物を押さえる押さえ手段と、保持部に保持された切断刃物のカッター刃に対して平行な面の２つのガイド面とを有し、カッター刃は２つのガイド面からの距離が等しい位置に配置されていることを特徴とする。
【００２３】
また、本発明は、カッター刃を収納する切断刃物を保持する保持手段と、上記保持手段と連結されて、切断刃物のカッター刃の突出量を調整するスライダの移動を可能にする溝部と、上記保持手段から突出されたカッター刃の刃先の突出寸法と同じ寸法で切断対象物が構成する面と平行な方向において突出して、カッター刃の刃先両側において切断対象物を押さえる押さえ手段と、保持部に保持された切断刃物のカッター刃に対して平行な面の２つのガイド面とを有し、カッター刃は２つのガイド面からの距離が等しい位置に配置されていることを特徴とする。
【００２４】
また、本発明は、カッター刃を収納する切断刃物を保持する保持手段と、上記保持手段と連結されて、切断刃物のカッター刃の突出量を調整するスライダの移動を可能にする溝部と、上記保持手段から突出されたカッター刃の刃先の突出寸法に対して１ｍｍ未満短い状態に切断対象物が構成する面と平行な方向において突出し、カッター刃の刃先両側において切断対象物を押さえる押さえ手段と、保持部に保持された切断刃物のカッター刃に対して平行な面の２つのガイド面とを有し、カッター刃は２つのガイド面からの距離が等しい位置に配置されていることを特徴とする。
【００２５】
上記のカッター刃-を収納する切断刃物を保持する手段は、より具体的には、切断工具における切断刃物の本体（ホルダー）を切断工具本体内に傾斜して配置することができる溝孔と、その溝孔内に配置した切断刃物に係止して位置固定するための固定手段から構成することが可能である。
【発明の効果】
【００２６】
カッター刃は２つのガイド面からの距離が等しい位置に配置されているから、天井から下向きに切断を行ったり、床から上向きに切断する際に、切断線がずれることなく、また切断用工具を簡単に反転させて、突出させたカッター刃を見ながら切断物にどれだけカッター刃が入っているかを確認しながら切断用工具の底面とカッター刃よりも突出した押さえ手段、又はカッター刃の刃先の突出寸法と同じ寸法で突出しした押さえ手段、あるいはカッター刃の刃先の突出寸法に対して１ｍｍ未満短い状態に突出した押さえ手段によってカッター刃の切断位置近くの両側を押さえた状態で切断作業を安定して行うことができる。
【００２７】
切断用工具に設けている切断刃物の保持手段によって、切断用工具に対する切断刃物の固定位置を調整可能とすることによって切断刃物のカッター刃の突出量を調整することができ、内装施工において下地材を切断してしまうことを防ぐくことが可能となる。
【図面の簡単な説明】
【００２８】
【図１】カッターナイフを取り付けた状態の切断用工具を説明する図である。
【図２】切断用工具の押さえ手段について説明する図である。
【図３】切断用工具の平面図である。
【図４】切断工具の押さえ手段の別実施形態について説明する図である。
【発明を実施するための最良の形態】
【００２９】
本発明の実施形態について図面を用いて説明する。本発明の切断用工具１は、切断刃物であるカッターナイフ１０を取り付けるガイドであり、図１においてはカッターナイフ１０を取り付けた状態を示している。
【００３０】
図１に示しているように、切断用工具１には、カッターナイフ１０を傾斜して固定することができる溝が設けられており、第１の溝１ｃがカッターナイフ１０のホルダー１０ｃとほぼ同寸法の溝孔を形成している。そして、ガイド面１ａ側において開放された状態で、カッターナイフ１０のスライダ１０ｂのスライドが自由にできるような開放溝として第２の溝１ｄが設けられている。
そして、カッターナイフ１０は上記の第１の溝１ｃと第２の溝１ｄの内部に挿通されて、ガイド面１ｂ側に設けた固定ネジ３によってカッターナイフ１０をガイド面１ａ側に押圧させて、第１の溝１ｃと第２の溝１ｄとの段差へ、カッターナイフ１０を押しつけることで位置固定する構成としている。
【００３１】
そして図１及び図２に示しているように切断用工具１の底面側には押さえ部材２が固定されており、カッターナイフ１０のカッター刃１０ａよりも突出する状態で押さえ部２ａがカッター刃１０ａの両側において切断対象物を押さえた状態でカッター刃１０ａが切断するように構成されている。
【００３２】
図２は、切断用工具１の本体と押さえ部材２を分離した状態を図示したものである。押さえ部材２は切断用工具１の底面に例えば接着、両面テープ等での固定で取り付けられる。
【００３３】
押さえ部材２は図２に示すように切断用工具１の底面を覆い、カッター刃１０ａ側においてはカッター刃１０ａよりも突出した状態であり、カッターナイフ１０の本体が突出している側においては、円弧状部２ｂとしており切断対象物に当接した状態においてスライドさせやすい構成としている。そのため、押さえ部材２は側面視においては円弧状の曲りを有しているが略Ｌ字状となっており、切断用工具１の本体と接着等にてしっかりと固定される。
【００３４】
カッターナイフ１０のカッター刃１０ａよりも押さえ部２ａが突出する状態というのは、カッター刃１０ａの刃先が切断対象物に当接する位置、すなわちカッター刃１０ａの刃の直線と切断用工具１の底面とが交差する位置が、押さえ部２ａの先端よりも切断用工具１の本体側に位置しているという構成となる。すなわち、カッター刃１０ａの両側に位置する押さえ部２ａの間に上記する交差する箇所が位置するということである。
【００３５】
切断用工具１の本体は樹脂製とし、押さえ部材２はステンレスなどの金属製とすることで耐久性を向上させた構成とすることが望ましい。また切断用工具１の本体は透明性の樹脂を使用しておくことも望ましい。
【００３６】
定規を当てる面は、ガイド面１ａとガイド面１ｂであり、カッターナイフ１０を取り付けると固定ネジ３でしっかりと固定され、カッター刃１０ａの位置は図３に示すように、ガイド面１ａ、ガイド面１ｂから寸法Ｘで同距離になるように構成されている。図３においては、カッターナイフ１０を取り付けた際のカッター刃１０ａの位置を２点鎖線で図示している。
【００３７】
切断用工具１において、カッターナイフ１０のカッター刃１０ａが切断用工具１の底面からどれだけ突出量については、カッターナイフ１０のスライダ１０ｂで調整するのであるが、スライダ１０ｂはカチカチと係止される位置で調整するとカッター刃１０ａが突出しすぎてしまう場合がある。
【００３８】
その場合においては、図３の固定ネジを緩めて、施工用工具１の第１の溝１ｃ内においてカッターナイフの位置をずらしてカッター刃１０ａの突出量を調整するようにすると良い。
【００３９】
図１においては、カッター刃１０ａよりも押さえ手段が突出した状態の実施形態について説明したが、カッター刃の突出寸法と押さえ手段の突出寸法が同じでも同様の効果が得られるのである。
【００４０】
カッターナイフ１０のカッター刃１０ａと押さえ部２ａの突出寸法が同じ状態というのは、カッター刃１０ａの刃先が切断対象物に当接する位置、すなわちカッター刃１０ａの刃先の位置の直線と切断用工具１の底面とが交差する位置が、押さえ部２ａの先端底面側の角に一致しているという状態である。すなわち、カッター刃１０ａの両側に位置する押さえ部２ａの先端の底面側の角に位置し、切断対象物を切断するために切断工具底面よりも鉛直方向下側に突出させたときに、カッター刃１０ａの刃先が切断対象物が構成する面と平行な方向においても切断用工具１の底面よりも下方において、押さえ部２ａよりも突出した状態になるという状態である。このことにより、壁紙施工用の工具として使用する際には、通常よく使用される壁紙の厚み２枚を切断する際には、廻縁や巾木等の装飾材を傷めずに壁紙の端から端まで切断しやすい程度のカッター刃１０ａの突出量に調整することが可能となる。
【００４１】
また、さらには押さえ手段の切断対象物が構成する面と平行な方向において突出寸法が、カッター刃の刃先の切断対象物が構成する面と平行な方向の突出寸法よりも、わずかに短くなっても、押さえ手段の効果は得られることが確認できており、カッター刃の刃先の方が突出していた方が、巾木などの付近を切断する場合においては、壁紙の切断をきっちりと端まで行うことができる。
【００４２】
そのため、カッター刃１０ａの刃先の切断対象物が構成する面と平行な方向における突出寸法に対して１ｍｍ未満短い状態にて突出させて、カッター刃の刃先両側において切断対象物を押さえる押さえ手段という構成が有効であり、さらに望ましくは壁紙の重ね切りをするために通常よく使用される壁紙の厚みの２枚分が確実に切断できるカッター刃の突出状態とすることも実施形態として望ましい実施態様となる。
【００４３】
また、さらに図４においては、押さえ手段すなわち押さえ部の別実施形態を示している。図１〜図３の実施形態においては、切断用工具１に接着又は貼り付けする実施形態の構成で説明したが、切断用工具の本体の樹脂で一体的に押さえ部２０を設けるようにしてもよい。
【００４４】
樹脂で製作する場合においては、カッター刃１０ａが透けて見えるような透明の樹脂を使用することが望ましく、カッター刃１０ａの高さよりも低くしてカッター刃１０ａが使用中に作業者から見えるようにしておくようにすることも望ましい実施態様となる。
【００４５】
カッター刃１０ａよりも押さえ手段の方が突出している場合においては、壁紙の破れなどに対して効果的に押さえ手段によって押さえることにより、破れを防ぐことができる。そして、廻縁や巾木等という切断対象物と隣接する境界においては、壁紙を端まで切断できないが、スライダを移動させて少しカッター刃１０ａをさらに突出させて端部を切断するという手順で境界の切断は対応できる。
【００４６】
カッター刃１０ａの方を押さえ手段よりもわずかに突出させた場合においては、カッター刃よりも突出が短いとはいえ押さえ手段による効果が得られないというほどではなく、刃先近傍の壁紙を押さえた状態にできるために効果のある実施形態とできるのである。
【符号の説明】
【００４７】
１  切断用工具
１ａ，１ｂ  ガイド面
１ｃ  第１の溝
１ｄ  第２の溝
２    押さえ部材
２ａ  押さえ部
２ｂ  円弧状部
３    固定ネジ
１０  カッターナイフ
１０ａ  カッター刃
１０ｂ  スライダ
１０ｃ  ホルダー
【図１】
2019051056.tif 000003
【図２】
2019051056.tif 000004
【図３】
2019051056.tif 000005
【図４】
2019051056.tif 000006